(57)【要約】【課題】介護者が浴槽の長辺側から入浴補助を行う場合であっても、浴槽の短辺側から入浴補助を行う場合と同程度に肉体的負担を軽減させること。【解決手段】平面視で長方形状をした浴槽３の長手方向Ａの片側部分を入浴者２の頭２ａ側を位置させる浴槽頭部４とし、長手方向Ａの他側部分を入浴者２の足２ｂ側を位置させる浴槽足部５とする。洗い場９に面する一方の長辺６のうち浴槽頭部４に位置する頭部側長辺部分６Ａを、その下端部１０ｄから上端部１０ｃに向かうに従って平面視で浴槽３の長手方向Ａと直交する洗い場方向Ｂに向かう突出寸法が大となるように膨出させて、内面部が入浴者２の入浴方向Ｃに沿って滑らかな下り勾配３０となった出入用膨出部１０を形成すると共に、該出入用膨出部１０の上端部１０ｃに浴槽頭部４及び浴槽足部５のそれぞれの浴槽フランジ４ａ,５ａ上面と面一状に連続した腰掛け面１１を形成した浴槽３である。【選択図】図１
2010264015.tif 000002
【特許請求の範囲】
【請求項１】
平面視で長方形状をした浴槽の長手方向の片側部分を入浴者の頭側を位置させる浴槽頭部とし、長手方向の他側部分を入浴者の足側を位置させる浴槽足部とし、浴槽の洗い場に面する一方の長辺のうち浴槽頭部に位置する頭部側長辺部分を、その下端部から上端部に向かうに従って平面視で浴槽の長手方向と直交する洗い場方向に向かう突出寸法が大となるように膨出させて、内面部が入浴者の入浴方向に沿って滑らかな下り勾配となった出入用膨出部を形成すると共に、該出入用膨出部の上端部に浴槽頭部及び浴槽足部のそれぞれの浴槽フランジ上面と面一状に連続した腰掛け面を形成してなることを特徴とする浴槽。
【発明の詳細な説明】
【技術分野】
【０００１】
本発明は、浴槽に関し、詳しくは洗い場と連設される浴槽形状に関するものである。
【背景技術】
【０００２】
平面視で互いに対向する一対の長辺と一対の短辺とを有する長方形状の浴槽が一般に知られている（例えば、特許文献１参照）。
【０００３】
ところで、自力で入浴するのが困難な高齢者、病人等の入浴に際しては入浴補助を必要とする。介護施設等での入浴補助を行う場合は、図５（ａ）に示すように、介護者１が入浴者２を支えながら浴槽３ａ´の短辺７側から入浴させている。この場合、浴槽３ａ´内に足２ｂを入れる入浴方向が足２ｂを伸ばす座り方向Ｄと一致しているため、入浴補助が楽にできるようになる。
【０００４】
ところが、一般住宅等の浴室では、図５（ｂ）に示すように、浴槽３ａ´の短辺７側に浴室壁８が存在している場合が多く、介護者１は浴槽３ａ´の長辺６側（洗い場側）から入浴させるしかなく、この場合、入浴者２が浴槽３ａ´内に足２ｂを入れる入浴方向Ｃと足２ｂを伸ばす座り方向Ｄとが平面視で９０°異なるため、介護者１は、無理な介護姿勢を強いられ、特に腰をかなり屈める必要があるなど、その肉体的負担がきわめて大きいものである。
【先行技術文献】
【特許文献】
【０００５】
【特許文献１】特開２００７−１５９６７１号公報
【発明の概要】
【発明が解決しようとする課題】
【０００６】
本発明は上記の従来の問題点に鑑みて発明したものであって、介護者が浴槽の長辺側（洗い場側）から入浴補助を行う場合であっても、浴槽の短辺側から入浴補助を行う場合と同程度に肉体的負担を軽減させることができる浴槽を提供することにある。
【課題を解決するための手段】
【０００７】
前記の課題を解決するために、本発明は、平面視で長方形状をした浴槽３の長手方向Ａの片側部分を入浴者２の頭２ａ側を位置させる浴槽頭部４とし、長手方向Ａの他側部分を入浴者２の足２ｂ側を位置させる浴槽足部５とする。浴槽３の洗い場９に面する一方の長辺６のうち浴槽頭部４に位置する頭部側長辺部分６Ａを、その下端部１０ｄから上端部１０ｃに向かうに従って平面視で浴槽３の長手方向Ａと直交する洗い場方向Ｂに向かう突出寸法が大となるように膨出させて、内面部が入浴者２の入浴方向Ｃに沿って滑らかな下り勾配３０となった出入用膨出部１０を形成すると共に、該出入用膨出部１０の上端部１０ｃに浴槽頭部４及び浴槽足部５のそれぞれの浴槽フランジ４ａ,５ａ上面と面一状に連続した腰掛け面１１を形成してなることを特徴としている。
【０００８】
このような構成とすることで、介護者１が一方の長辺６側（洗い場９側）から入浴補助を行うにあたって、出入用膨出部１０の腰掛け面１１に入浴者２を一旦腰掛けさせて入浴者２の足２ｂを浴槽頭部４内部に向けた状態とし、この状態から入浴者２の腰部を出入用膨出部１０内面の下り勾配３０に沿って滑らせながら足２ｂを浴槽頭部４側から浴槽足部５側へと方向変換させるだけで、浴槽３内部に体全体をスムーズに移動させて足２ｂを伸ばした座り姿勢とすることができる。従って、入浴者２の入浴方向Ｃと座り方向Ｄとが平面視で９０°異なる場合であっても、介護者１に肉体的な負担がかからず、無理に腰を屈めることもなくなる。
【発明の効果】
【０００９】
本発明は、浴槽の洗い場に面した一方の長辺のうち浴槽頭部に位置する頭部側長辺部分を膨出させて、内面部が入浴者の入浴方向に沿って下り勾配となり且つ上端部が腰掛け面となった出入用膨出部を構成したことにより、介護者は浴槽の長辺側（洗い場側）から入浴補助を行う場合であっても、出入用膨出部を利用することで、浴槽の短辺側から入浴補助を行う場合と同程度に肉体的負担を軽減させることができる効果が得られる。
【図面の簡単な説明】
【００１０】
【図１】本発明の一実施形態の浴槽と洗い場とが連設された浴室ユニットの斜視図である。
【図２】同上の浴槽の頭部側長辺部分を洗い場方向に膨出させて構成される出入用膨出部を利用して、介護者が浴槽の長辺側（洗い場側）から入浴補助を行う場合の一例を説明する斜視図である。
【図３】同上の浴槽エプロンの堰部への取り付けを説明する分解斜視図である。
【図４】（ａ）は同上の浴室ユニットの概略平面図、（ｂ）は床パンの概略側面図である。
【図５】（ａ）は従来の浴槽の短辺側から入浴補助を行う場合の説明図、（ｂ）は従来の浴槽の長辺側（洗い場側）から入浴補助を行う場合の説明図である。
【発明を実施するための形態】
【００１１】
以下、本発明を添付図面に示す実施形態に基いて説明する。
【００１２】
図１は、浴槽３と洗い場９とが連設された浴室ユニット１２の一例を示している。平面視矩形状の浴室ユニット１２を左右に略２分して、片側を浴槽３、他側を洗い場９としている。図中の１３は排水口である。
【００１３】
浴槽３は、平面視で互いに向かい合う一対の長辺６と一対の短辺７とを有する。本発明においては、長手方向Ａの片側部分を入浴者２の頭２ａ側を位置させる浴槽頭部４とし、長手方向Ａの他側部分を入浴者２の足２ｂ側を位置させる浴槽足部５とする。
【００１４】
洗い場９に面した一方の長辺６のうち、浴槽頭部４に位置する頭部側長辺部分６Ａを、平面視で浴槽３の長手方向Ａと直交する洗い場方向Ｂに向かって膨出させて、出入用膨出部１０を形成している。この出入用膨出部１０は、図２に示すように、下端部１０ｄから上端部１０ｃに向かうに従って平面視で浴槽３の長手方向Ａと直交する洗い場方向Ｂに向かう突出寸法が大となるように膨出しており、出入用膨出部１０の内面部には、入浴者２の入浴方向Ｃに沿って滑らかな下り勾配３０が形成されている。なお、出入用膨出部１０の後壁１０ａは浴槽頭部４の短辺７と直線状に連なっており、出入用膨出部１０の前壁１０ｂは浴槽足部５に位置する足部側長辺部分６Ｂと直交状に連なっている。
【００１５】
ここで、図１に示す例では、出入用膨出部１０の上端部１０ｃの洗い場方向Ｂへの突出寸法Ｅは、浴槽頭部４の内寸法Ｇの約半分程度とされ、出入用膨出部１０の横巾寸法Ｆは、浴槽頭部４の内寸法Ｇと略同寸法とされる。さらに図４（ａ）に示すように、浴槽３の全長Ｈが１６００ｍｍ、全巾Ｌが８００ｍｍの場合、出入用膨出部１０の突出寸法Ｋは４５０ｍｍとされ、これにより浴槽頭部４側の全巾Ｊは１２５０ｍｍ（＝８００ｍｍ＋４５０ｍｍ）とされる。さらに出入用膨出部１０と浴室ドア１４間の洗い場寸法Ｍは８００ｍｍ、浴槽足部５側とドア袖壁８´間の洗い場寸法Ｎは１２５０ｍｍとされる。これらの数値は一例であり、浴槽３形状に合わせて適宜に設計変更自在である。
【００１６】
上記出入用膨出部１０の上端部１０ｃには腰掛け面１１が形成されている。この腰掛け面１１は、図３に示すように、同一水平面上に連なる平面視コ字状のフランジ面１１ａ,１１ｂ,１１ｃからなり、フランジ面１１ａが浴槽頭部４側の浴槽フランジ４ａ上面と面一に連なり、フランジ面１１ｃが浴槽足部５側の浴槽フランジ５ａ上面と面一に連なっている。
【００１７】
ここで、出入用膨出部１０内面の下り勾配３０をできるだけ緩やかな傾斜にするため、つまり、出入用膨出部１０の突出寸法をできるだけ大きく確保するために、突出方向に位置するフランジ面１１ｃの巾を他のフランジ面１１ａ、１１ｂの巾よりも狭くしてある。この場合において、出入用膨出部１０の外側方に図１に示すようなフランジ面１１ｃと同じ高さの水平面１５ａを有する踏み台１５を設置し、フランジ面１１ｃと踏み台１５との組み合わせによってフランジ面１１ｃ上の腰掛け面積を広く確保できるようにしている。勿論、フランジ面１１ｃの巾を他のフランジ面１１ａ、１１ｂの巾と同じ巾としてもよいものである。
【００１８】
しかして、上記構成の浴槽３において介護者１が洗い場９側から高齢者、病人等の入浴補助を行う場合は、図２に示すように、入浴者２を出入用膨出部１０の腰掛け面１１に腰掛けさせて足２ｂを浴槽頭部４内部に向けた状態とし、この状態から入浴者２の腰部を出入用膨出部１０内面の下り勾配３０に沿って滑らせながら、足２ｂを図２の矢印Ｐで示すように浴槽頭部４から浴槽足部５へと方向変換させることで、従来の図５（ｂ）で示されているような足２ｂを伸ばした座り姿勢にスムーズに移行させることができる。またこのとき浴槽足部５の底部に溺れ防止用の段部４０（図１）を突設させることで、より安定した入浴姿勢となる。一方、浴槽３から出る場合の補助も上記と逆の順で出入用膨出部１０を介して行うことができる。
【００１９】
従って、図２に示すように、入浴者２の入浴方向Ｃと座り方向Ｄとが平面視で９０°異なる場合であっても、洗い場方向Ｂに向けて膨出する出入用膨出部１０を利用することで、介護者１は洗い場9側から無理に腰を屈めたりすることなく、入浴補助を行うことができる。この結果、従来の図５（ａ）で示したような短辺７側から入浴補助する場合と同程度にその肉体的負担を軽減できる利点が得られる。
【００２０】
また、出入用膨出部１０を洗い場方向Ｂに膨出させた形状としても、出入用膨出部１０と浴室ドア１４間の狭くなったスペースＳ１（図１）を介護スペースとして利用でき、浴槽足部５と浴室壁８との間の広いスペースＳ２（図１）を身体を洗う洗い場として利用できるので、浴槽３と洗い場９の双方を使い勝手よくコンパクトに配置できる。また、健常者が入浴する場合にも出入用膨出部１０が邪魔にならず且つ洗い場９が狭くなることもないものである。
【００２１】
また本例では、図４（ｂ）に示すように、洗い場部１６Ａとそれよりも低い浴槽載置部１６Ｂとを一体に備える床パン１６の一例を示している。床パン１６は例えばＦＲＰで一体成形されており、洗い場部１６Ａと浴槽載置部１６Ｂとがそれぞれアジャスターボルト１７を介して床面５０上に高さ調整可能に支持されていると共に、頭部側長辺部分６Ａに形成される出入用膨出部１０の腰掛け面１１の下面を別のアジャスターボルト１８を介して洗い場部１６Ａ上面にて高さ調整可能に支持されている。なお図４（ａ）ではアジャスターボルト１７、１８の位置をそれぞれ×印で示している。このように浴槽載置部１６Ｂと洗い場部１６Ａとを共通の床パン１６を用いて構成しているので、金型費の低減、生産効率の向上が図られると共に、既設の浴室ユニット１２において既存の浴槽から本浴槽３への交換が容易にできる利点がある。しかも、本浴槽３の出入用膨出部１０をアジャスターボルト１８を用いて洗い場部１６Ａにて支持しているので、共通の床パン１６を設計変更する必要もない。
【００２２】
さらに本例では図３に示すように、浴槽エプロン１８が、浴槽３の足部側長辺部分６Ｂから出入用膨出部１０の前方を覆うＬ形エプロン１８Ａと、出入用膨出部１０の側方を覆う平板エプロン１８Ｂとで構成されている。床パン１６の洗い場部１６Ａと浴槽載置部１６Ｂとの境界に沿って堰部１９が配置される。堰部１９は、床パン１６とは別体で構成され、上記Ｌ形エプロン１８Ａ及び平板エプロン１８Ｂのそれぞれの下端部を取付け金具（図示せず）を介して着脱可能に取り付ける直線状堰部１９Ａ及びＬ形堰部１９Ｂとで構成される。Ｌ形堰部１９Ｂの一端部１９ａは浴室壁８の鉛直面にビス固定され、Ｌ形堰部１９Ｂの他端部１９ｂは直線上堰部１９Ａの一端部と共に浴槽３外壁の鉛直面にビス固定される。従って、床パン１６側に堰部１９を取り付けるための穴あけ加工や接着等をしなくて済む利点がある。
【符号の説明】
【００２３】
１  介護者
２  入浴者
２ａ  頭
２ｂ  足
３  浴槽
４  浴槽頭部
５  浴槽足部
６  長辺
６Ａ  頭部側長辺部分
６Ｂ  足部側長辺部分
７  短辺
１０  出入用膨出部
１０ｃ  上端部
１０ｄ  下端部
１１  腰掛け面
３０  下り勾配
Ａ  長手方向
Ｂ  洗い場方向
Ｃ  入浴方向
Ｄ  座り方向
【図１】
2010264015.tif 000003
【図２】
2010264015.tif 000004
【図３】
2010264015.tif 000005
【図４】
2010264015.tif 000006
【図５】
2010264015.tif 000007